(57)【要約】【課題】  強大な外的力により引き起こされるコンクリート崩落や床板陥没の問題を有効的に避け、建築物構造の強度と安全性を大幅に向上させる建築物防振構造を提案する。【解決手段】  建築物防振構造は、主に、一般の各階の床板もしくは梁柱下方に補強板を設け、その補強板は、一つ以上の固定部品を利用して、まず各階の床板もしくは各階の床板周囲の柱に固定し、生コン注入作業により各固定部品を包み込み、防振構造を完成させる構造である。【選択図】  図3
0003121503.tif 000002
【実用新案登録請求の範囲】
【請求項１】
主に一般の各階の床板下方に設置する補強板により構成される建築物防振構造において、その補強板は、一つ以上の固定部品を利用して、まず床板もしくは床板周囲の柱体に固定、更に生コン注入作業によって各固定部品を包み込んで防振構造を完成することを特徴とする建築物防振構造。
【請求項２】
主に一般の梁柱下方に設置する補強板により構成される建築物防振構造において、その補強板は、一つ以上の固定部品を利用して、まず床板もしくは床板周囲の柱体に固定、更に生コン注入作業によって各固定部品を包み込んで防振構造を完成することを特徴とする建築物防振構造。
【請求項３】
前記補強板は金属材質であることを特徴とする請求項1及び請求項2記載の建築物防振構造。
【請求項４】
前記各固定部品はS形引掛部品であることを特徴とする請求項1及び請求項2記載の建築物防振構造。
【請求項５】
前記補強板は、その大きさが床板とほぼ同様であり、補強板上には一つ以上の定位棒を設け、各固定部品はS形引掛部品であり、そのS形引掛部品一端は、定位棒上に予め設けた定位孔内に引き掛けられ、もう一端は鉄筋上に取り付けられることを特徴とする請求項1記載の建築物防振構造。
【請求項６】
前記補強板は凹形の凹槽形式で、また、梁柱下方を包み込み、前記補強板上には一つ以上の定位棒を設け、各固定部品であるS形引掛部品は、その一端を定位棒上に予め設けた定位孔内に引き掛け、もう一端は鉄筋上に取り付けることを特徴とする請求項2記載の建築物防振構造。
【請求項７】
前記凹形凹溝の上部縁には、両側に向けて延伸する延伸片を具えることを特徴とする請求項6記載の建築物防振構造。
【考案の詳細な説明】
【技術分野】
【０００１】
本考案は、建築物防振構造に関するものであり、強大な外的力を受けて起こり得るコンクリートの崩落や床板の陥没問題を有効的に避けて、大幅に建築物構造の強度と安全性を向上させるものである。
【背景技術】
【０００２】
一般建築物は、各階の床板もしくは梁柱の生コン注入作業において、図1に示すとおり、通常はまず関板を組立て、下方より支柱で支えた後、関板上方に鉄筋11を縦横向きに重設、並びに針金12で縛って固着すると、鉄筋骨組み面層ができあがり、また、鉄筋11下方には、適当なレンガもしくは支持体13を敷設し、コンクリートで鉄筋を包み固定、コンクリートが乾いた後、関板を取外すと、床板の生コン注入作業が完了する。
【考案の開示】
【考案が解決しようとする課題】
【０００３】
しかしながら、この種の床板構造を観察すると、各鉄筋が縦横交差し重なり合って連結、コンクリート層中間に保持されているだけであり、これによって鉄筋はコンクリートと包まれ結合する関係を保つという状況の下、コンクリートの重量は完全に鉄筋によって支えられているのみで、構造強度は明らかに不足、地震の発生や土砂崩れ等の強大な外的力を受けた場合は、コンクリート崩落や床板1陥没などの危険が発生し易く（図2参照）、居住者の生命や財産の安全性に非常に大きな影響を与え、実に非理想的な設計であり、方法を講じて問題を解決改善する必要がある。
【課題を解決するための手段】
【０００４】
上記課題を解決するために、本考案の建築物防振構造は、強大な外的力により引き起こされるコンクリート崩落や床板陥没の問題を有効的に避け、建築物構造の強度と安全性を大幅に向上させる。
本考案の建築物防振構造提案の主要目的は、一般の床板もしくは梁柱下方に補強板を設け、その補強板は、一つ以上の固定部品を利用して、まず床板もしくは床板周囲の柱に固定し、更に、生コン注入作業により各固定部品を包み込み、防振構造を完成させる。
【考案の効果】
【０００５】
本考案は、良好で実行可能な建築物防振構造を提案する。特に、強大な外的力を受けて起こり得るコンクリートの崩落や床板の陥没問題を有効的に避けて、更に建築物構造の強度と安全性を大幅に向上させることに非常に効果的である。
【考案を実施するための最良の形態】
【０００６】
本考案の建築物防振構造は、一般の床板下方に設置した補強板により構成され、その補強板は、一つ以上の固定部品を利用して、まず床板もしくは床板周囲の柱に固定すると、防振構造が完成となり、強大な外的力を受けて起こる可能性のあるコンクリート崩落や床板陥没の問題を有効的に避けて、更に建築物構造の強度と安全性を大幅に向上させることができる。
【０００７】
本考案全体の実施例は、図3及び図4に示すとおりであり、その補強板2は金属材質とし、且つ床板1とほぼ同様の大きさであり、補強板2上には一つ以上の定位棒21を設け、図の実施例に示したとおり、二つを交差設置する定位棒21を具え、また、各固定部品はS形引掛部品3とすることも可能で、そのS形引掛部品3の一端は、定位棒21上に予め設けた定位孔22に引き掛け、もう一端は、床板1上もしくは床板周囲の柱体4の鉄筋41上に取り付け、更に生コン注入作業によって、各S形引掛部品3を包み込み、図5に示すような防振構造を完成させる。
【０００８】
また、図6及び図7に示すとおり、本考案のもう一つの実施例においては、主に一般の梁柱5下方に設置する補強板により構成され、その補強板は金属材質で、且つ凹形の凹槽2’を形成、並びに梁柱5下方を包み込むもので、その凹槽2’中には、一つ以上のC型鋼である定位棒21’を設け、また、各固定部品はS形引掛部品3とすることも可能で、そのS形引掛部品3一端は、定位棒21’上に予め設けた定位孔22’内に引き掛け、もう一端を床板1上もしくは床板周囲の柱体4の鉄筋11、41上に設け、更に生コン注入作業によって各S形引掛部品3を包み込み、図8に示すような防振構造を完成させる。また、前記凹形の凹槽2’は、上部端から両脇に向かって延伸する延伸片23’を有し、全平面が床板を支える形となり、その外観も比較的美観に優れたものとなる。
【０００９】
規定に基づいてここに実用新案の申請をする。以上の実施例説明及び図式に示したものは、本考案の良好な実施例であるが、実施例範囲は本考案実施例の範囲だけに留まらず、本考案の構造、装置、特徴等近似、同様のものはすべて、本考案の目的及び実用新案範囲に含まれるものとする。
【図面の簡単な説明】
【００１０】
【図１】従来の床板鉄筋骨組みの構造見取図である。
【図２】従来の床板コンクリート崩落の構造見取図である。
【図３】本考案の床板と補強板の構造分解図である。
【図４】本考案のS形引掛部品を定位棒と鉄筋に引き掛けた構造見取図である。
【図５】本考案の補強板を床板に固設した構造見取図である。
【図６】本考案の梁柱と補強板の構造見取図である。
【図７】本考案の補強板を床板に固設した構造見取図である。
【図８】本考案の補強板を床板に固設した構造外観図である。
【符号の説明】
【００１１】
1      床板
１１  鉄筋
１２  針金
１３  支持体
２    補強板
２’  凹形凹槽
２１  定位棒
２１’定位棒
２２  定位孔
２２’定位孔
２３’延伸片
３     S形引掛部品
４    柱体
４１  鉄筋
５    梁柱
【図１】
0003121503.tif 000003
【図２】
0003121503.tif 000004
【図３】
0003121503.tif 000005
【図４】
0003121503.tif 000006
【図５】
0003121503.tif 000007
【図６】
0003121503.tif 000008
【図７】
0003121503.tif 000009
【図８】
0003121503.tif 000010